(57)【特許請求の範囲】
【請求項１】
特定図形が登録されてなる図形登録手段と、処理対象の画像から該図形登録手段に登録されている前記特定図形を抽出する登録図形抽出手段と、前記処理対象の画像のうち前記特定図形以外について使用する色数を減らす処理を行う減色処理手段と、抽出された前記特定図形の色が第１の画像形成手段にて再現されるか否かを判定し、再現されると判定した場合には、当該第１の画像形成手段にて前記特定図形及び色数を減らした画像が形成されるように制御を行い、再現されないと判定した場合には、前記第１の画像形成手段を含む複数の画像形成手段の性能に関する情報を取得するとともに当該複数の画像形成手段の中から前記特定図形の色が再現される画像形成手段を選択し、当該選択した画像形成手段にて前記特定図形及び色数を減らした画像が形成されるように制御を行う画像形成制御手段を有することを特徴とする画像処理装置。
【請求項２】
特定図形が登録されてなる図形登録手段と、処理対象の画像から該図形登録手段に登録されている前記特定図形を抽出する登録図形抽出手段と、前記処理対象の画像のうち前記特定図形以外について使用する色数を減らす処理を行う減色処理手段と、複数の画像形成手段の性能に関する情報を取得するとともに抽出された前記特定図形の色が前記複数の画像形成手段で再現されるか否かを判定し、前記再現されない画像形成手段である第１の画像形成手段が存在すると判定した場合には、当該第１の画像形成手段でも再現されるように前記特定図形の色を変換して、当該変換を行った前記特定図形及び色数を減らした画像が前記第１の画像形成手段にて形成されるように制御を行うとともに、前記複数の画像形成手段のうち前記第１の画像形成手段以外の画像形成手段においても、前記変換を行った後の前記特定図形及び色数を減らした画像が形成されるように制御を行う画像形成制御手段を有することを特徴とする画像処理装置。
【請求項３】
コンピュータに、請求項１または請求項２に記載の画像処理装置の機能を実行させるものであることを特徴とする画像処理プログラム。
【発明の詳細な説明】
【技術分野】
【０００１】
本発明は、画像処理装置、画像処理プログラムに関するものである。
【背景技術】
【０００２】
画像形成装置として単色で画像を形成する装置の他、２色の色材を用いた装置や、４色以上の色材を用いてフルカラーの画像を形成する装置などがある。例えば４色以上の色材を用いて画像を形成する画像形成装置を使用する場合でも、用いる色材量を削減し、また費用を削減するために、２色あるいは単色での画像形成を行わせる場合もある。例えば特許文献１では、選択されたオブジェクトについて色を変更し、２色で画像を形成することが記載されている。
【０００３】
一方、例えばコーポレートロゴなどと呼ばれる標章や印影など、特定の図形については、その色を忠実に再現することが要求される。しかし、２色あるいは単色などに減色して画像を形成する場合には、画像形成装置がフルカラーの画像を形成する性能を有している場合でも、特定の図形についても他の部分とともに減色されて画像形成されている。
【先行技術文献】
【特許文献】
【０００４】
【特許文献１】特開２００９−１７１２５４号公報
【発明の概要】
【発明が解決しようとする課題】
【０００５】
本発明は、減色して画像を形成する場合でも特定の図形についての出力品質を維持することを目的とするものである。
【課題を解決するための手段】
【０００６】
本願請求項１に記載の発明は、特定図形が登録されてなる図形登録手段と、処理対象の画像から該図形登録手段に登録されている前記特定図形を抽出する登録図形抽出手段と、前記処理対象の画像のうち前記特定図形以外について使用する色数を減らす処理を行う減色処理手段と、抽出された前記特定図形の色が第１の画像形成手段にて再現されるか否かを判定し、再現されると判定した場合には、当該第１の画像形成手段にて前記特定図形及び色数を減らした画像が形成されるように制御を行い、再現されないと判定した場合には、前記第１の画像形成手段を含む複数の画像形成手段の性能に関する情報を取得するとともに当該複数の画像形成手段の中から前記特定図形の色が再現される画像形成手段を選択し、当該選択した画像形成手段にて前記特定図形及び色数を減らした画像が形成されるように制御を行う画像形成制御手段を有することを特徴とする画像処理装置である。
【０００７】
本願請求項２に記載の発明は、特定図形が登録されてなる図形登録手段と、処理対象の画像から該図形登録手段に登録されている前記特定図形を抽出する登録図形抽出手段と、前記処理対象の画像のうち前記特定図形以外について使用する色数を減らす処理を行う減色処理手段と、複数の画像形成手段の性能に関する情報を取得するとともに抽出された前記特定図形の色が前記複数の画像形成手段で再現されるか否かを判定し、前記再現されない画像形成手段である第１の画像形成手段が存在すると判定した場合には、当該第１の画像形成手段でも再現されるように前記特定図形の色を変換して、当該変換を行った前記特定図形及び色数を減らした画像が前記第１の画像形成手段にて形成されるように制御を行うとともに、前記複数の画像形成手段のうち前記第１の画像形成手段以外の画像形成手段においても、前記変換を行った後の前記特定図形及び色数を減らした画像が形成されるように制御を行う画像形成制御手段を有することを特徴とする画像処理装置である。
【０００８】
本願請求項３に記載の発明は、コンピュータに、請求項１または請求項２に記載の画像処理装置の機能を実行させるものであることを特徴とする画像処理プログラムである。
【発明の効果】
【００１３】
本願請求項１に記載の発明によれば、減色して画像を形成する場合であっても、特定図形についての出力品質を維持し、特定図形に応じた画像形成手段により画像を形成することができる。
【００１４】
本願請求項２に記載の発明によれば、特定図形についての出力品質を維持し、減色して画像を形成する場合であっても、複数の画像形成手段のいずれで画像を形成しても同等の画像を得ることができる。
【００１５】
本願請求項３に記載の発明によれば、本願請求項１または請求項２に記載の発明の効果を得ることができる。
【図面の簡単な説明】
【００２０】
【図１】本発明の実施の一形態を示す構成図である。
【図２】本発明の実施の一形態における動作の具体例の説明図である。
【図３】本発明の実施の一形態における動作の具体例の説明図（続き）である。
【図４】画像形成制御部１６における動作の一例の説明図である。
【図５】本発明の実施の一形態の変形例を示す構成図である。
【図６】本発明の実施の一形態の変形例における動作の具体例の説明図である。
【図７】本発明の実施の一形態及びその変形例で説明した機能をコンピュータプログラムで実現した場合におけるコンピュータプログラム及びそのコンピュータプログラムを格納した記憶媒体とコンピュータの一例の説明図である。
【発明を実施するための形態】
【００２１】
図１は、本発明の実施の一形態を示す構成図である。図中、１１は特定図形登録部、１２は登録図形抽出部、１３は使用色登録部、１４は減色処理部、１５は性能情報保持部、１６は画像形成制御部、１７は画像形成部である。処理対象の画像は、スキャナやカメラなどの読取手段で読み取った画像やＣＧなどソフトウェアで生成したラスタ画像であってもよいし、ある記述言語により記述されたコード情報である場合も、ここでは処理対象の画像として扱う。処理対象の画像は、有線または無線の通信路を通じて受け取るほか、記憶媒体から読み出すことにより受け取ったり、一体的に設けられた読取手段などから受け取るなど、公知の手法により受け取ればよい。
【００２２】
特定図形登録部１１には、特定図形が登録されている。特定図形は、例えばコーポレートロゴなどと呼ばれる標章や印影など、その色再現が要求されるものである。この特定図形についても、スキャナやカメラなどの読取手段で読み取った画像やＣＧなどソフトウェアで生成したラスタ画像であってもよいし、ある記述言語により記述されたコード情報であってもよい。コード情報の場合には、特定図形の大きさや色、文字を含む場合にはそのフォント情報などが設定されていればよい。なお、特定図形の登録は１つに限らず、複数の特定図形を登録しておいてもよい。
【００２３】
登録図形抽出部１２は、処理対象の画像から特定図形登録部１１に登録されている特定図形を抽出する。処理対象の画像及び特定図形ともラスタ画像であれば、例えばパターンマッチング処理などの公知の手法により、画像の構成や形状、色などを判断して特定図形を抽出すればよい。また、処理対象の画像がコード情報、特定図形がラスタ画像であれば、処理対象の画像を描画処理した後に、ラスタ画像として例えばパターンマッチング処理などの公知の手法により特定図形の抽出を行えばよい。もちろんコード情報としてラスタ画像を描画するコード情報があれば、そのラスタ画像と特定図形との比較を行えばよい。処理対象の画像がラスタ画像で特定図形がコード情報の場合も、特定図形を描画処理し、ラスタ画像として  例えばパターンマッチング処理などの公知の手法により特定図形の抽出を行えばよい。処理対象の画像及び特定図形ともコード情報の場合、描画する図形について特定図形の大きさや色、フォント情報などを判定し、特定図形を抽出すればよい。
【００２４】
使用色登録部１３は、減色処理部１４で減色処理を行う際の減色後の色を登録しておく。一例として２色に減色する場合には、例えば黒とマゼンタ、あるいは黒と赤などが登録される。登録する色として、画像形成部１７において用いる色材色とするとよい。なお、使用する色が予め決まっている場合には、この使用色登録部１３を設けずに構成してもよい。
【００２５】
減色処理部１４は、登録図形抽出部１２で抽出された特定図形以外について、使用する色を使用色登録部１３に登録されている色に限定し、色数を減らす処理を行う。この減色処理については、公知の方法で行えばよい。
【００２６】
性能情報保持部１５は、画像形成部１７の性能についての情報を保持する。ここでは少なくとも、画像形成部１７で使用する色材の色数の情報を保持しているものとし、さらに色材の色の情報も保持しているとよい。もちろん、その他の性能に関する情報を保持していてもよい。また、画像形成制御部１６が画像形成部１７から性能についての情報を取得する構成では、この性能情報保持部１５を設けずに構成してもよい。
【００２７】
画像形成制御部１６は、性能情報保持部１５に保持されている性能についての情報から得られる画像形成部１７の性能に応じて、特定図形及び色数を減らした画像を画像形成部１７で形成する制御を行う。画像形成部１７の性能は、画像形成部１７から取得するように構成してもよい。
【００２８】
画像を形成する制御としては、例えば特定図形が存在する場合には、その特定図形の色が画像形成部１７で形成されるように制御する。また、特定図形が存在しなければ、画像形成部１７で使用する色材の色を、減色処理部１４で減色した色（使用色登録部１３に登録されている色）を再現する色に制限する制御を行う。例えば黒とマゼンタの２色に減色している場合には、画像形成部１７でも黒とマゼンタの色材を用いて画像を形成するように制御すればよい。
【００２９】
なお、画像形成部１７の性能によっては、特定図形が存在していても、その特定図形の色を再現する性能を画像形成部１７が有していない場合がある。特定図形が存在しない場合でも、減色後の色を再現する性能を画像形成部１７が有していない場合もある。このような場合には、警告を出力して画像の形成を中止しまたは利用者の指示に従うこととし、あるいは画像形成部１７の性能の範囲で再現されるように色変換や階調変換などの処理を行って画像形成部１７に画像を形成させる制御を行えばよい。
【００３０】
画像形成部１７は、画像形成制御部１６による制御に従って、画像形成制御部１６から渡される画像を形成する。この画像形成部１７の性能についての情報が、性能情報保持部１５に保持され、あるいは画像形成制御部１６からの問い合わせに対して返送される。なお、画像を形成する方式については問わない。
【００３１】
上述の本発明の実施の一形態における動作の一例を、具体例を用いながら説明する。図２、図３は、本発明の実施の一形態における動作の具体例の説明図である。図２（Ａ）には処理対象の画像の具体例を示している。図２（Ａ）に示した処理対象の画像において、特定図形であるシアンの文字「Ｃ−Ｌｏｇｏ」と、黒の文字「ＸＸＸＸＸ」と、背景中に黒の文字「ＡＡＡＡＡＡ」、赤の文字「ＢＢＢＢＢＢ」、黒の文字「ＣＣＣＣＣＣ」、青の文字「ＤＤＤＤＤＤ」が描かれている。なお、図示の都合上、背景色は斜線により示し、各文字の色については書体を異ならせて示している。
【００３２】
また、特定図形登録部１１には、図２（Ｂ）に示す特定の色の文字「Ｃ−Ｌｏｇｏ」の図形（ラスタ画像あるいはコード情報など）が登録されているものとする。登録図形抽出部１２は、図２（Ａ）に示した処理対象の画像から、特定図形登録部１１に登録されている図２（Ｂ）に示す特定図形を抽出する。この具体例では、文字「Ｃ−Ｌｏｇｏ」を抽出する。抽出された特定図形を図２（Ｄ）に示している。なお、特定図形以外を図２（Ｃ）に示している。
【００３３】
この例では図２（Ｄ）に示した特定図形と図２（Ｃ）に示した特定図形以外を別の画像として示しているが、例えば図２（Ａ）に示した処理対象画像に対して特定図形か否かを示すタグを付加し、区別するように構成してもよい。
【００３４】
一方、使用色登録部１３には、赤と黒が登録されているものとする。使用色の登録は、外部から例えば黒以外の色を登録するほか、動作モードとして減色を指示し、あるいは減色を含む動作モードが設定されて、該動作モードに対応する色が登録されるように構成してもよい。また、設定される色として、画像形成部１７で使用する色材の色で再現される色の範囲内で登録されるように構成してもよい。
【００３５】
減色処理部１４では、図２（Ｃ）に示した特定図形以外の画像について、使用色登録部１２に登録されている使用色への減色処理を行う。この例では赤と黒の２色に減色するものとしている。この減色処理により、青の文字は黒に変換され、背景色は除去されて、図２（Ｅ）に示す黒の画像と図２（Ｆ）に示す赤の画像になる。
【００３６】
性能情報保持部１５には、ここでは画像形成部１７が画像形成に用いる色材の情報を保持しているものとする。画像形成制御部１６は、性能情報保持部１５に保持されている性能に関する情報に従って画像形成部１７を制御し、画像形成部１７に画像を形成させる。
【００３７】
例えば図３（Ａ）に示す例では、画像形成部１７は４色の色材を用いてフルカラーの画像を形成する性能を有している。このような画像形成部１７を用いて画像を形成する場合には、画像形成制御部１６は、特定図形については指定されている色により画像を形成させ、減色した画像については、この例では黒と赤により画像を形成させる。減色処理を行っていても特定図形については品質の劣化はなく、また、特定図形以外は減色処理により色材量が削減されることになる。なお、特定図形の色が画像形成部１７が使用する色材では再現されない色である場合には、色変換などにより再現される色に変換して画像を形成するか、あるいは再現されない旨を出力するように構成するとよい。
【００３８】
また、例えば図３（Ｂ）に示した例では、画像形成部１７は黒とマゼンタ（Ｍ）の２色の色材を用いて画像を形成する性能を有している。このような画像形成部１７を用いて画像を形成する場合には、画像形成制御部１６は、減色した画像については、この例では黒と赤の２色を黒とマゼンタの２色として画像形成部１７に画像を形成させる。また、特定図形については指定されている色（シアン）が再現されないことから、特定図形の色をマゼンタあるいはマゼンタと黒を用いた色に変換するか、あるいは再現されない旨を出力するように構成するとよい。もちろん、画像形成部１７が黒とシアンの色材を用いて画像を形成する性能を有していれば、特定図形はシアンにより再現され、その代わりに減色された赤についてはシアンに変換して再現すればよい。特定図形の再現を重視する場合には、画像形成部１７に特定図形の色の色材、あるいは特定図形の色を再現する色材が搭載されているとよく、特定図形の色を再現した上で減色した色を変換するとよい。いずれにしても、画像形成部１７が画像の形成に使用する色材の色に応じて、画像形成部１７を制御して特定図形及び減色した画像を画像形成部１７に形成させればよい。
【００３９】
例えば図３（Ｃ）に示す例では、画像形成部１７は黒の色材で画像を形成するものである。このような場合には、いずれも黒（グレー）でしか画像が形成されないことから、特定図形及び減色した画像とも、黒（グレー）で画像を形成することになる。あるいは、特定図形の色が再現されない旨を出力するように構成してもよい。
【００４０】
もちろん、画像形成部１７の性能として図３に示した例に限られず、例えば３色、あるいは５色以上の色材を用いて画像を形成する性能を有していてもよいし、どのような色の色材を有していてもよい。なお、処理対象の画像中に特定図形が含まれていなければ、減色した画像が形成されればよく、例えば２色に減色した場合には２色以上の色材を使用する画像形成部１７により、２色の画像を形成すればよい。
【００４１】
図４は、画像形成制御部１６における動作の一例の説明図である。図３で具体例を用いて説明した画像形成制御部１６の動作の一例をまとめると、図４に示すようになる。すなわち、Ｓ５１において、特定図形が含まれているか否かを判断し、含まれていればカラー画像を形成するものとする。そしてＳ５２において、性能情報保持部１５から取得した画像形成部１７の性能に関する情報を判定し、画像形成部１７が３以上の色材によりカラー画像を形成する性能を有していれば、特定図形及び減色した画像を画像形成部１７において形成する。なお、画像形成部１７が用いる色材の色に対応した色変換を行ってから画像形成部１７で画像を形成するように構成するとよい。
【００４２】
画像形成部１７がカラー画像を形成する性能を有していない場合には、Ｓ５３において、画像形成部１７が使用する色材により特定図形の色が再現されるか否かを判定する。例えば画像形成部１７に特定図形の色の色材が備えられている場合や、複数色の色材により特定図形の色が再現される場合もあり、このような場合には特定図形の色を再現し、減色した画像とともに形成する。この場合、減色した画像について、さらに減色あるいは色変換を行う場合もある。
【００４３】
Ｓ５３で特定図形の色が再現されないと判定された場合には、その旨を警告として出力するほか、画像形成部１７に合わせて色を変換して出力し、または特定図形であることが分かるように加工し、減色した画像とともに画像形成部１７で形成すればよい。また、Ｓ５２で特定図形の色が画像形成部１７で再現されない色である場合についても、Ｓ５３で特定図形の色が再現されないと判定された場合として扱えばよい。
【００４４】
Ｓ５１で特定図形が含まれていないと判断される場合には、Ｓ５４において、性能情報保持部１５から取得した画像形成部１７の性能に関する情報を判定し、減色した画像が色再現されるか否かを判断する。例えば２色に減色し、２色が区別して色再現されるのであれば、２色が分かるように画像形成部１７で画像を形成すればよい。減色した画像が画像形成部１７で再現されない場合には、減色した画像を画像形成部１７で再現されるように変換し、画像形成部１７で画像を形成すればよい。例えば減色した各色が区別して色再現される場合には、減色した画像を色再現される色に変換し、画像形成部１７で形成すればよい。また、画像形成部１７が単色の画像を形成する装置である場合には、減色した画像を、例えばグレーレベルを異ならせた画像などに変換し、単色で画像形成部１７により画像を形成すればよい。
【００４５】
なお、上述の例では特定図形以外は減色していることから、例えば課金する際には、特定図形がフルカラーであっても減色した画像の形成として課金するとよい。また、特定図形を他と区別して扱うか否かは、特定図形の有無により切り替えるほか、利用者が選択するように構成してもよい。例えば、フルカラーモード、減色モードや白黒モードなどとともに、特定図形モードを用意し、特定図形モードでは特定図形はフルカラーで形成し、特定図形以外は減色して形成するように構成すればよい。
【００４６】
図５は、本発明の実施の一形態の変形例を示す構成図である。図中、１７−１，１７−２は画像形成部である。この変形例では、画像形成部が複数設けられている場合を示している。ここでは画像形成部１７−１と画像形成部１７−２を示しているが、３以上の画像形成部が存在していてもよいことは言うまでもない。
【００４７】
このような構成では、性能情報保持部１５はそれぞれの画像形成部１７−１、１７−２の性能に関する情報を保持している。また、画像形成制御部１６は性能情報保持部１５に保持されている各画像形成部１７−１，１７−２の性能に関する情報をもとに、いずれの画像形成部１７−１、１７−２でも形成される画像を生成して出力する。この場合、いずれの画像形成部１７−１、１７−２で画像を形成しても、その結果が異ならないようになる。あるいは、画像形成制御部１６は性能情報保持部１５に保持されている各画像形成部１７−１，１７−２の性能に関する情報をもとに、画像形成部１７−１、１７−２のいずれかを選択して画像を形成させるように制御してもよい。例えば特定図形の色がいずれか一方で再現される場合、その特定図形の色が再現される画像形成部を選択して画像を形成させればよい。
【００４８】
上述の本発明の実施の一形態の変形例における動作の一例を、具体例を用いながら説明する。なお、減色処理部１４までの処理については図２に示した具体例の処理が行われているものとする。図６は、本発明の実施の一形態の変形例における動作の具体例の説明図である。図６（Ａ）に示した例では、画像形成部１７−１は４色の色材を用いてフルカラーの画像を形成する性能を有し、画像形成部１７−２は７色の色材を用いてフルカラーの画像を形成する性能を有している。このような画像形成部１７−１，１７−２を用いて並行して画像を形成するものとする。画像形成制御部１６は、特定図形については指定されている色により画像を形成させ、減色した画像については、この例では黒と赤により画像を形成させるが、２つの画像形成部１７−１，１７−２の性能に差があることから、画像形成部１７−２より性能が低い画像形成部１７−１の画質に合わせて、画像形成部１７−１，１７−２に画像を形成させる。いずれの画像形成部１７−１，１７−２を使用した場合も、画質がそろった画像が得られることになる。
【００４９】
また、特定図形の色が例えば画像形成部１７−１では再現されないが画像形成部１７−２では再現される場合がある。このような場合には、特定図形の色を画像形成部１７−１で再現される色に変換して画像形成部１７−１で画像を形成し、また、画像形成部１７−２でも変換後の色で画像形成部１７−１と並行して画像を形成すればよい。あるいは、特定図形の色が再現される画像形成部１７−２を選択し、画像形成部１７−２に画像を形成させるように制御してもよい。
【００５０】
図６（Ｂ）に示した例では、画像形成部１７−１は黒とシアン（Ｃ）の２色の色材を用いて画像を形成する性能を有し、画像形成部１７−２は４色の色材を用いてフルカラーの画像を形成する性能を有している。このような画像形成部１７−１，１７−２を用いて画像を形成する場合、画像形成部１７−１では特定図形については指定されている色（シアン）が再現されるが、黒と赤に減色した画像について、赤は再現されない。画像形成部１７−１，１７−２を並行して動作させる場合には、赤についてはシアンまたは黒あるいはシアンと黒を用いた色に変換し、特定図形とともに画像形成部１７−１，１７−２で画像形成すればよい。あるいは、特定画像の色（シアン）とともに、減色した赤及び黒が再現される画像形成部１７−２を選択し、画像形成部１７−２を用いて画像を形成してもよい。
【００５１】
なお、画像形成部１７−１，１７−２を並行して動作させる場合であって、少なくとも１台の画像形成部で再現されない色が存在する場合には、再現されない旨を出力し、画像の形成を中止するか、あるいは他の色に変換して画像を形成するかを指示として受け取るように構成してもよい。
【００５２】
ここでは画像形成部１７−１，１７−２の性能の一例として２つの例を示したが、それぞれの画像形成部１７−１，１７−２の性能及びその組み合わせは、上述の例に限られるものではなく、特定図形の色及び減色した色と、並列して動作させるか否かなどによって、画像形成部１７−１，１７−２の画像形成を制御すればよい。
【００５３】
図７は、本発明の実施の一形態及びその変形例で説明した機能をコンピュータプログラムで実現した場合におけるコンピュータプログラム及びそのコンピュータプログラムを格納した記憶媒体とコンピュータの一例の説明図である。図中、２１はプログラム、２２はコンピュータ、３１は光磁気ディスク、３２は光ディスク、３３は磁気ディスク、３４はメモリ、４１はＣＰＵ、４２は内部メモリ、４３は読取部、４４はハードディスク、４５はインタフェース、４６は通信部である。
【００５４】
上述の本発明の実施の一形態及びその変形例で説明した各部の機能を全部あるいは部分的に、コンピュータにより実行するプログラム２１によって実現してもよい。その場合、そのプログラム２１およびそのプログラムが用いるデータなどは、コンピュータが読み取る記憶媒体に記憶させておけばよい。記憶媒体とは、コンピュータのハードウェア資源に備えられている読取部４３に対して、プログラムの記述内容に応じて、磁気、光、電気等のエネルギーの変化状態を引き起こして、それに対応する信号の形式で、読取部４３にプログラムの記述内容を伝達するものである。例えば、光磁気ディスク３１，光ディスク３２（ＣＤやＤＶＤなどを含む）、磁気ディスク３３，メモリ３４（ＩＣカード、メモリカード、フラッシュメモリなどを含む）等である。もちろんこれらの記憶媒体は、可搬型に限られるものではない。
【００５５】
これらの記憶媒体にプログラム２１を格納しておき、例えばコンピュータ２２の読取部４３あるいはインタフェース４５にこれらの記憶媒体を装着することによって、コンピュータからプログラム２１を読み出し、内部メモリ４２またはハードディスク４４（磁気ディスクやシリコンディスクなどを含む）に記憶し、ＣＰＵ４１によってプログラム２１を実行することによって、上述の本発明の実施の一形態及びその変形例で説明した機能が全部あるいは部分的に実現される。あるいは、通信路を介してプログラム２１をコンピュータ２２に転送し、コンピュータ２２では通信部４６でプログラム２１を受信して内部メモリ４２またはハードディスク４４に記憶し、ＣＰＵ４１によってプログラム２１を実行することによって実現してもよい。
【００５６】
コンピュータ２２には、このほかインタフェース４５を介して様々な装置と接続してもよい。例えば画像形成部１７、１７−１、１７−２は、このインタフェース４５を介して接続してもよい。また、情報を表示する表示手段や利用者からの情報を受け付ける受付手段等も接続されていてもよい。なお、処理対象の画像は、インタフェース４５を介して接続される画像読取装置で読み取ってもよいし、通信路を介して通信部４６で受け取ってもよいし、記憶媒体から読み出してもよいし、あるいは、コンピュータ２２で動作する他のプログラムから受け取ってもよい。
【００５７】
もちろん、部分的にハードウェアによって構成することもできるし、全部をハードウェアで構成してもよい。あるいは、他の構成とともに本発明の実施の一形態及びその変形例で説明した機能の全部あるいは部分的に含めたプログラムとして構成してもよい。もちろん、他の用途に適用する場合には、その用途におけるプログラムと一体化してもよい。
【符号の説明】
【００５８】
１１…特定図形登録部、１２…登録図形抽出部、１３…使用色登録部、１４…減色処理部、１５…性能情報保持部、１６…画像形成制御部、１７，１７−１，１７−２…画像形成部、２１…プログラム、２２…コンピュータ、３１…光磁気ディスク、３２…光ディスク、３３…磁気ディスク、３４…メモリ、４１…ＣＰＵ、４２…内部メモリ、４３…読取部、４４…ハードディスク、４５…インタフェース、４６…通信部。
【図１】
0005741792.tif 000002
【図２】
0005741792.tif 000003
【図３】
0005741792.tif 000004
【図４】
0005741792.tif 000005
【図５】
0005741792.tif 000006
【図６】
0005741792.tif 000007
【図７】
0005741792.tif 000008